(57)【要約】【課題】簡素な構成で、熱交換器部分の連結部での風の侵入を防ぎクロスフローファンへの結露を防止することができる空気調和機を提供する。【解決手段】複数の熱交換器部分２ａ、２ｂが所定の角度で連結されてなる熱交換器２を内部に有する空気調和機において、前記熱交換器部分２ａ、２ｂのそれぞれは、前記所定の角度で固定されるように固定板５ａ、５ｂを具備し、一方の固定板５ｂに爪６が形成されると共に、他方の固定板５ａに、前記爪６に嵌合する凹部７と仮止めするための仮止め用爪８とが形成され、前記凹部７に前記爪６を嵌合し、さらに前記仮止め用爪８で仮止めした後に、前記熱交換器部分２ａ、２ｂをビス（図示せず）により固定するようにしたもので、簡素な構成で、熱交換器部分２ａ、２ｂの連結部での風の侵入を防ぎクロスフローファン（図示せず）への結露を防止できる。【選択図】図２
2009281657.tif 000002
【特許請求の範囲】
【請求項１】
複数の熱交換器部分が所定の角度で連結されてなる熱交換器を内部に有する空気調和機において、前記熱交換器部分のそれぞれは、前記所定の角度で固定されるように固定板を具備し、互いに重なる前記固定板の一方に爪が形成されると共に、他方の固定板に、前記爪に嵌合する凹部と仮止めするための仮止め用爪とが形成され、前記凹部に前記爪を嵌合し、前記熱交換器部分をビスにより固定するようにしたことを特徴とする空気調和機。
【請求項２】
爪及び凹部にある角度を有する斜面を設けたことを特徴とする請求項１に記載の空気調和機。
【発明の詳細な説明】
【技術分野】
【０００１】
本発明は、空気調和機に関するもので、特に、複数の熱交換器部分を連結して構成した熱交換器を具備した空気調和機に関するものである。
【背景技術】
【０００２】
従来の、この種の空気調和機の内部に設けられた熱交換器は、図５に示すように複数の熱交換器部分を連結して構成されていた（例えば、特許文献１参照）。
【０００３】
図５は、上記特許文献１に記載された従来の空気調和機の熱交換器の連結構成を示す図で、同図において、従来の空気調和機内に設けられた熱交換器１０は、複数の熱交換器部分１０ａ、１０ｂが屈曲した形で連結されて形成され、熱交換器部分１０ａ、１０ｂのそれぞれには、屈曲が所定角度で行われて連結が出来るように連結板１１ａ、１１ｂが突設されている。そして、互いに重なる連結板１１ａ、１１ｂの一方、例えば、連結板１０ａには、爪１２ａが形成されるとともに、他方の連結板１１ｂには、前記爪１２ａが嵌合する穴１２ｂが形成され、この穴１２ｂに爪１２ａを嵌合して仮止めした後に、両熱交換器部分１０ａ、１０ｂをビス（図示せず）により連結するようになっている。
【特許文献１】特開平０９−１４５１４５号公報（図４）
【発明の開示】
【発明が解決しようとする課題】
【０００４】
しかしながら、前記従来の空気調和機の構成では、爪と穴には、必ずクリアランスが必要であるため、前記爪と穴の隙間から風が侵入しクルスフローファンに結露するという課題があった。
【０００５】
本発明は、上記従来の課題を解決するもので、簡素な構成で、熱交換器部分の連結部での風の侵入を防ぎ、クロスフローファンへの結露を防止することができる空気調和機を提供することを目的とする。
【課題を解決するための手段】
【０００６】
前記従来の課題を解決するために、本発明の空気調和機は、複数の熱交換器部分が所定の角度で連結されてなる熱交換器を内部に有する空気調和機において、前記熱交換器部分のそれぞれは、前記所定の角度で固定されるように固定板を具備し、互いに重なる前記固定板の一方に爪が形成されると共に、他方の固定板に、前記爪に嵌合する凹部と仮止めするための仮止め用爪とが形成され、前記凹部に前記爪を嵌合し、前記熱交換器部分をビスにより固定するようにしたもので、簡素な構成で、熱交換器部分の連結部での風の侵入を防ぎクロスフローファンへの結露を防止できる。
【発明の効果】
【０００７】
本発明の空気調和機は、簡素な構成で、熱交換器部分の連結部での風の侵入を防ぎクロスフローファンへの結露を防止できる、という効果を奏する。
【発明を実施するための最良の形態】
【０００８】
第１の発明は、複数の熱交換器部分が所定の角度で連結されてなる熱交換器を内部に有する空気調和機において、前記熱交換器部分のそれぞれは、前記所定の角度で固定されるように固定板を具備し、互いに重なる前記固定板の一方に爪が形成されると共に、他方の固定板に、前記爪に嵌合する凹部と仮止めするための仮止め用爪とが形成され、前記凹部に前記爪を嵌合し、前記熱交換器部分をビスにより固定するようにしたもので、簡素な構
成で、熱交換器部分の連結部での風の侵入を防ぎクロスフローファンへの結露を防止できる。
【０００９】
第２の発明は、特に、第１の発明の爪及び凹部にある角度を有する斜面を設けたもので、爪を凹部に嵌合させるときに、それらに設けた斜面が互いにガイドしあうので、嵌合作業が容易になる。
【００１０】
以下、本発明の実施の形態について、図面を参照しながら説明する。なお、この実施の形態によって本発明が限定されるものではない。
【００１１】
（実施の形態１）
図１は、本発明の実施の形態１における空気調和機の断面図、図２は、同空気調和機の熱交換器及び固定板の側面図、図３は、同固定板の連結状態を示す斜視図である。
【００１２】
図１〜３において、空気調和機本体１の内部には、熱交換器２と、クロスフローファン３と送風回路４が配設されている。
【００１３】
この熱交換器２は、複数の熱交換器部分２ａ、２ｂ、２ｃ、２ｄからなり、熱交換器部分２ａ、２ｂ、２ｃ、２ｄのそれぞれは、所定の角度で固定がなされるように固定板５を具備し、互いに重なる固定板５ａ、５ｂの一方の固定板５ｂには、嵌合する爪６が形成されるとともに、他方の固定板５ａには、爪６が嵌合する凹部７と、仮止めするための仮止め用爪８とが形成され、この凹部７に爪６を嵌合し、両熱交換器部分２ａ、２ｂをビス（図示せず）で固定するというもので、簡素な構成で、且つ熱交換器部分２ａ、２ｂの連結部分での風の侵入を防ぎクロスフローファン３への結露を防止できるという効果が得られる。
【００１４】
（実施の形態２）
図４は、本発明の実施の形態２における空気調和機の熱交換器部分の連結状態を示す斜視図である。尚、上記第１の実施の形態における空気調和機と同一部分については、同一符号を付してその説明を省略する。
【００１５】
本実施の形態は、図４に示すように、互いに重なる固定板５ａ、５ｂのいずれか一方に、嵌合する爪６を形成し、他方の固定板に、爪６に嵌合される凹部７と、仮止めする仮止め用爪８を形成し、さらに、互いの固定板５ａ、５ｂの重ね合わせを容易にするために、嵌合する爪６にはある角度も持った斜面９ａを設け、嵌合される凹部７にも、嵌合する爪６同様にある角度をもった斜面９ｂを設けたもので、これらの固定板５ａ、５ｂを嵌合して仮止めした後に、両熱交換器部分２ａ、２ｂをビスで固定するという簡素な構成で、且つ風の侵入を防ぎクロスフローファン３への結露を防止できるという効果が得られる。
【産業上の利用可能性】
【００１６】
以上のように、本発明にかかる熱交換器の固定方法は簡素な構成で、且つ風の侵入を防ぐことが可能となるので、複数の熱交換器部分を内部に搭載した機器等の用途にも適用できる。
【図面の簡単な説明】
【００１７】
【図１】本発明の実施の形態１における空気調和機の断面図
【図２】同空気調和機の熱交換器及び固定板の側面図
【図３】（ａ）同固定板の連結状態を示す斜視図（ｂ）同固定板の一方を示す斜視図（ｃ）同固定板の他方を示す斜視図
【図４】（ａ）本発明の実施の形態２における空気調和機の固定板が連結された状態を示す斜視図（ｂ）同固定板の要部拡大斜視図（ｃ）同固定板の一方を示す斜視図（ｄ）同固定板の他方を示す斜視図
【図５】（ａ）従来の空気調和機の熱交換器部分の連結構成を示す図（熱交換機部分が連結された状態）（ｂ）同熱交換器部分の一方を示す図（ｃ）同熱交換器部分の他方を示す図
【符号の説明】
【００１８】
１  空気調和機本体
２  熱交換器
２ａ、２ｂ、２ｃ、２ｄ  熱交換器部分
３  クロスフローファン
４  送風回路
５ａ、５ｂ  固定板
６  爪
７  凹部
８  仮止め用爪
９ａ、９ｂ  傾斜面
【図１】
2009281657.tif 000003
【図２】
2009281657.tif 000004
【図３】
2009281657.tif 000005
【図４】
2009281657.tif 000006
【図５】
2009281657.tif 000007